(57)【特許請求の範囲】
【請求項１】
キャビネット本体の側板に展伸可能なスライド蝶番を介してキャビネット本体とは別体の扉体を接続し、スライド蝶番の展伸によって扉体を９０度以上の広開度で開閉可能とした扉体付きミラーキャビネットであって、上記キャビネット本体に扉体により開閉される収納部を設け、該収納部に収納トレイを取り外し可能に収納すると共に、収納部に水平なレール溝を設け、上下反転可能なタイプの上面開口を有する収納トレイの上端縁からレール溝に嵌合されるレール部を突設させ、収納トレイの下面部を物品載置面とし且つ物品載置面の外周部から下方に向けて突片を垂設し、収納トレイは上面開口を上向きにしてレール部をレール溝に嵌合させた状態では上面開口が該レール溝と略同じ高さに位置し、収納トレイを上下反転して物品載置面を上向きにしてレール部をレール溝に嵌合させた状態では物品載置面が該レール溝よりも上方に位置するように構成されていることを特徴とする扉体付きミラーキャビネット。
【請求項２】
上記扉体は、一端側にスライド蝶番が取り付けられる後扉と、後扉の前方に配置されると共に後扉の他端側に回転自在に接続されるミラー扉とで構成されていると共に、ミラー扉の横幅寸法を後扉の横幅寸法よりも幅広としたことを特徴とする請求項１記載の扉体付きミラーキャビネット。
【請求項３】
上記スライド蝶番は側板に取り付けられる本体取付部材と、扉体に取り付けられる扉取付部材と、本体取付部材と扉取付部材とを連結する展伸・折り畳み自在な平行リンクプレートとからなり、後扉の厚さを上記扉取付部材と略同じ厚さまで薄くしたことを特徴とする請求項２記載の扉体付きミラーキャビネット。
【請求項４】
上記後扉の他端とミラー扉の一端とを蝶番を介して接続した構造において、後扉の蝶番が取り付けられる側の端部に樹脂製の把手を取り付け、この樹脂製の把手の前方への突出寸法を蝶番の前方への突出寸法よりも大きくしたことを特徴とする請求項２又は請求項３記載の扉体付きミラーキャビネット。
【請求項５】
上記キャビネット本体の収納部の前方に収納トレイを傾けて通過させるための空間部を設けたことを特徴とする請求項１乃至請求項４のいずれかに記載の扉体付きミラーキャビネット。
【請求項６】
上記収納トレイを傾けて通過させるための空間部を備えた構造において、扉体の裏面側に該空間部内に納まる形状の収納ボックスを取着してなることを特徴とする請求項５記載の扉体付きミラーキャビネット。
【請求項７】
上記後扉を枠状に形成し、この枠状の後扉の内側に収納ボックスを配設したことを特徴とする請求項２乃至請求項４のいずれかに記載の扉体付きミラーキャビネット。
【発明の詳細な説明】
【０００１】
【発明の属する技術分野】
本発明は、例えば洗面化粧台（システムキッチン等も含む）に用いられる扉体付きミラーキャビネットに関するものである。
【０００２】
【従来の技術】
従来、この種の扉体付きミラーキャビネット１’としては、図２２に示すように、キャビネット本体２の側板５に展伸可能なスライド蝶番４を介してキャビネット本体２とは別体の扉体３を接続したものが多く見られる。扉体３として、ミラー扉１２とその後方Ｂに配置される後扉１１とからなる両開き扉が知られている。またスライド蝶番４は、キャビネット本体２の側板５に取り付けられる本体取付部材７と、後扉１１に取り付けられる扉取付部材６と、本体取付部材７と扉取付部材６とを接続する展伸可能な平行リンクプレート（図示せず）とを備えたもので構成されている。
【０００３】
【発明が解決しようとする課題】
しかしながら、上記スライド蝶番４を用いて扉体３を９０度以上の広開度で開閉できるようにした場合にあっては、図２３に示すように、扉体３の端部３ａが後方Ｂに突出してキャビネット本体２の側板５と接触するようになるため、扉体３の端部３ａと側板５との間に大きな隙間Ｇを設ける必要があった。特に扉体３に把手１６が設けられている場合は隙間Ｇを一層大きくする必要があり、このため隙間Ｇを通して外部から中のものが見えてしまい、美観が損なわれるという問題がある。なお図２２に示すように、隙間Ｇを小さくした場合は、扉の開き角は９０度ぐらいに制限され、９０度以上の広開度で扉体３を開放できなくなり、収納物の取り出しがしにくくなって使い勝手が悪くなるという問題があった。
【０００４】
本発明は、上記の従来例の問題点に鑑みて発明したものであって、その目的とするところは、扉体の開き角を９０度以上の広開度に開閉した際の扉体の端部とキャビネット本体の側板との接触を防止できると共に、側板と扉体との間の隙間を小さくして外観を向上させることができ、美観性と使用性の両方に優れた扉体付きミラーキャビネットを提供することにある。
【０００５】
【課題を解決するための手段】
上記課題を解決するために請求項１記載の発明にあっては、キャビネット本体２の側板５に展伸可能なスライド蝶番４を介してキャビネット本体２とは別体の扉体３を接続し、スライド蝶番４の展伸によって扉体３を９０度以上の広開度で開閉可能とした扉体付きミラーキャビネットであって、上記キャビネット本体２に後扉１１により開閉される収納部１４を設け、該収納部１４に収納トレイ１７を取り外し可能に収納すると共に、キャビネット本体２の収納部１４に水平なレール溝２０を設け、上下反転可能なタイプの上面開口４０ａを有する収納トレイ４０の上端縁からレール溝２０に嵌合されるレール部２３を突設させ、収納トレイ４０の下面部４０ｂを物品載置面２１とし且つ物品載置面２１の外周部から下方に向けて突片２２を垂設し、収納トレイ４０は、上面開口４０ａを上向きにしてレール部２３をレール溝２０に嵌合させた状態では上面開口４０ａが該レール溝２０と略同じ高さに位置し、収納トレイ４０を上下反転して物品載置面２１を上向きにしてレール部２３をレール溝２０に嵌合させた状態では物品載置面２１が該レール溝２０よりも上方に位置するように構成されていることを特徴としており、このように構成することで、収納トレイ４０の上面開口４０ａを上向きにしてレール部２３をレール溝２０に嵌合させた場合と、収納トレイ４０の物品載置面２１を上向きにしてレール部２３をレール溝２０に嵌合させた場合とで収納トレイ４０を上下反転させるだけで、収納物の高さに合わせて収納トレイ４０を配置できるようになる。また物品載置面２１を上向きにしたときはその外周部に設けた突片２２が収納物落下防止として働くので、物品載置面２１上に収納物を安定して収納できるようになる。
【０００６】
また請求項２記載の発明は、請求項１において、上記扉体３は、一端側にスライド蝶番４が取り付けられる後扉１１と、後扉１１の前方Ｆに配置されると共に後扉１１の他端側に回転自在に接続されるミラー扉１２とで構成されていると共に、ミラー扉１２の横幅寸法Ｃを後扉１１の横幅寸法Ｄよりも幅広とするのが好ましく、この場合、ミラー扉１２を幅広にできてデザイン性が良くなると共に、ミラーキャビネット１の横に壁１３があるときは壁１３から扉体３までの距離を小さくできる。
【０００７】
また請求項３記載の発明は、請求項２において、上記スライド蝶番４は側板５に取り付けられる本体取付部材７と、扉体３に取り付けられる扉取付部材６と、本体取付部材７と扉取付部材６とを連結する展伸・折り畳み自在な平行リンクプレート８とからなり、上記後扉１１の厚さＭを上記扉取付部材６と略同じ厚さＮまで薄くするのが好ましく、この場合、後扉１１を薄くすることで扉体３全体を薄くでき、従って、キャビネット本体２の収納部１４の奥行き寸法Ｌを狭めることなく扉体３を閉じたときにミラー扉１２のミラー面とキャビネット本体２側のミラー面とを略面一にすることができ、美観が向上する。また後扉１１を薄くすることで９０度以上の広開度で開いたときに後扉１１の端部の後方Ｂへの突出寸法が短くなり、これにより逃がし凹所９の深さを浅くでき、逃がし凹所９による側板５部分の強度低下を抑えることができる。さらに収納部１４の奥行き寸法Ｌが扉体３の厚さによって制限されることもなくなり、収納量を十分に確保できると共に、扉体３全体の重量が軽くなり、スライド蝶番４への負担を軽減できるようになる。
【０００８】
また請求項４記載の発明は、請求項２又は請求項３において、上記後扉１１の他端とミラー扉１２の一端とを蝶番１５を介して接続した構造において、後扉１１の蝶番１５が取り付けられる側の端部に樹脂製の把手１６ａを取り付け、この樹脂製の把手１６ａの前方Ｆへの突出寸法Ｘを蝶番１５の前方Ｆへの突出寸法Ｙよりも大きくするのが好ましく、この場合、例えばミラーキャビネット１の横に壁１３がある場合において、扉体３を９０度以上の広開度で開いたときでも蝶番１５が壁１３に当たらず、樹脂製の把手１６ａが壁１３に当たることで、蝶番１５による壁１３への傷付きを防止できるようになる。
【０００９】
また請求項５記載の発明は、請求項１乃至請求項４のいすれかにおいて、上記キャビネット本体２に後扉１１により開閉される収納部１４を設け、該収納部１４に収納トレイ１７を取り外し可能に収納すると共に、収納部１４の前方Ｆに収納トレイ１７を傾けて通過させるための空間部１８を設けるのが好ましく、この場合、扉体３を開いたときに扉体３が収納部１４の前方Ｆの一部を遮る形となっても収納部１４の前方Ｆに設けた空間部１８内で収納トレイ１７を傾けて通過させることが可能となり、収納トレイ１７を大きくして収納量を増やすことができる。
【００１０】
また請求項６記載の発明は、請求項５において、上記収納トレイ１７を傾けて通過させるための空間部１８を備えた構造において、扉体３の裏面側に該空間部１８内に納まる形状の収納ボックス１９を取着してなるのが好ましく、この場合、扉体３を閉じたときに扉体３の裏面に取着した収納ボックス１９を空間部１８に配置できるようになり、空間部１８を利用して収納量を増加させることができる。
【００１２】
また請求項７記載の発明は、請求項２乃至請求項４のいずれかにおいて、上記後扉１１を枠状に形成し、この枠状の後扉１１の内側に収納ボックス４５を配設するのが好ましく、この場合、ミラー扉１２を開くと枠状をした後扉１１の内側の収納ボックス４５が現れて、この収納ボックス４５からの収納物の出し入れが可能となり、しかも後扉１１は開かなくても済むようになる。
【００１３】
【発明の実施の形態】
以下、本発明を添付図面に示す実施形態に基づいて説明する。
【００１４】
本実施形態の扉体付きミラーキャビネット１は、図１９（ａ）に示すように、キャビネット本体２の中央前面に中央鏡２３’が取り付けられ、この中央鏡２３’の両側にミラー付き扉体３がそれぞれ配置されており、扉体３を開かない状態では扉体３のミラーが袖鏡２４となって三面鏡として使用でき、また扉体３を開くことによって図１９（ｂ）に示すように、キャビネット本体２の収納部１４が開放され、収納物の出し入れができるようになっている。
【００１５】
上記扉体３は、図１に示す例では、ミラー扉１２とその後方Ｂに配置された後扉１１とからなる両開き扉として構成されている。また本例では、後扉１１の一端側に展伸可能なスライド蝶番４の扉取付部材６が取り付けられ、ミラー扉１２の一端が後扉１１の他端側に蝶番１５を介して回転自在に接続されている。なお図１中の１８は収納部１４の前方に設けた空間部であり、後述するように空間部１８を利用して扉体３の裏面に取り付けた収納ボックス１９が納められている。
【００１６】
上記展伸可能なスライド蝶番４は、キャビネット本体２の側板５にキャビネット本体２とは別体の後扉１１を接続するものである。スライド蝶番４は、図３に示すように、キャビネット本体２の側板５に取り付けられる本体取付部材７と、後扉１１に取り付けられる扉取付部材６と、本体取付部材７と扉取付部材６とを接続する展伸・折り畳み自在な平行リンクプレート８とを備えている。図３中の３０，３１は平行リンクプレート８の一端側の枢支部、３２，３３は他端側の枢支部、６０は蝶番取付用板である。後扉１１を開くと図４のように平行リンクプレート８が展伸することによって後扉１１が９０度以上の広開度（例えば１２５度）で開閉可能となり、後扉１１を閉じると図３のように平行リンクプレート８が折り畳まれて扉取付部材６に納められるようになっている。
【００１７】
ここで、上記キャビネット本体２の側板５における扉体３との対向面には、図１に示すように逃がし凹所９が設けられている。この逃がし凹所９は側板５の上下方向の略全長にわたって設けられており、扉体３が９０度以上の広開度で開閉したときに扉体３の端部３ａとの接触を防止するためのものである。図１の例では、逃がし凹所９は、扉体３の端部３ａの移動範囲と重ならないように且つ移動範囲とほぼ沿う形で、後方Ｂに向かって平面視略Ｖ字状に切り欠き形成されている。この逃がし凹所９の外面側Ａには、側板５の前方Ｆに向かって側板５と扉体３との隙間を隠すための隙間隠し用凸部１０が突設されている。この隙間隠し用凸部１０は逃がし凹所９の上下方向の略全長に亘って設けられており、側板５と扉体３との隙間をなくす働きをする。
【００１８】
また図１の例では、後扉１１の厚さＭは、スライド蝶番４の扉取付部材６の厚さＮと略同一程度まで薄くしてある。本例では後扉１１の前面には扉取付部材６を隠すためのキャップ３５が装着されており、これにより後扉１１の外観が扉取付部材６によって損なわれないようにしてある。なおキャップ３５に限らず、シールを貼って隠すようにしてもよいものである。
【００１９】
しかして、キャビネット本体２の側板５に逃がし凹所９を設けて、９０度以上の広開度で開閉される扉体３の端部３ａとの接触を防止するようにしたので、扉体３を９０度以上の広開度で開閉した場合でも扉体３と側板５とが互いに干渉するのを防止でき、これにより収納物の出し入れが容易となり、使い勝手が良くなる。しかも、逃がし凹所９の外面側Ａには隙間隠し用凸部１０を設けたので、側板５と扉体３との隙間が隙間隠し用凸部１０によって隠されるようになり、従って、外部から隙間を通して中の収納物が見えるのを防止できるようになる。この結果、側板５と扉体３との隙間をすっきりとした美しいデザインとすることができ、外観が良好となる。
【００２０】
また本例では後扉１１の厚さＭを、スライド蝶番４の扉取付部材６の厚さＮと略同一まで薄くしてあるので、従来（図２３）と比較して扉体３全体の厚さが薄くなる。これにより、図１のように扉体３を閉じた状態で、ミラー扉１２のミラー面とキャビネット本体２側の中央鏡２３’とが面一となり、三面鏡としての美観が向上する。しかも、扉体３の全体が薄くなるので、扉体３全体の重量が軽くなり、スライド蝶番４への負担を軽減できるようになる。さらに扉体３を９０度以上の広開度で開いたときの扉体３の端部３ａの突出幅が少なくなるので、その分だけ逃がし凹所９を浅くできるようになり、逃がし凹所９による側板５部分の強度低下を抑えることができる。さらに、扉体３を薄くすることで収納部１４の奥行き寸法Ｌを狭める必要がなくなり、収納量を十分に確保できるものとなる。ちなみに、扉体３を厚くして、収納部１４の奥行き寸法Ｌ（図１）だけを大きくしようとすれば、結果としてキャビネット本体２の奥行き寸法Ｓ（図１）が大きくなり、洗面台上での作業（洗面、整髪、化粧等の行為等）時に頭が当るなど洗面等がしにくくなるという問題があるが、本例では、扉体３を薄くすることで、キャビネット本体２の奥行き寸法Ｓを大きくせずにキャビネット本体２の使い易さを良くすることができ、しかも収納部１４の奥行き寸法Ｌを十分に確保できるという利点もある。
【００２１】
また、前記実施形態では、ミラー扉１２の横幅寸法Ｃと後扉１１の横幅寸法Ｄとをほぼ同じ寸法としているが、図５〜図７に示すように、ミラー扉１２の横幅寸法Ｃを後扉１１の横幅寸法Ｄよりも幅広（Ｃ＞Ｄ）としてもよい。これにより、ミラー扉１２を幅広にでき、デザイン性が良くなるうえにデザイン上の制約も小さくなり、そのうえミラーキャビネット１の横に壁１３（図５）があるときは壁１３からミラー扉１２の端面までの距離Ｕ（図５）を短くでき、外観上の納まりを良くすることができる。なお図５、図６中の１６ａは後扉１１側に取着される把手、図７中の５０は把手１６を逃がすための凹所である。
【００２２】
図８、図９は、後扉１１とミラー扉１２とを蝶番１５を介して回転自在に接続した場合において、後扉１１の蝶番１５が取り付けられる側の下端部（或いは上端部でもよい）に樹脂製の把手１６ａを取り付け、この樹脂製の把手１６ａの前方Ｆへの突出寸法Ｘを蝶番１５の前方Ｆへの突出寸法Ｙよりも大きくした場合を示している。なおキャビネット本体２の側板５に逃がし凹所９と隙間隠し用凸部１０とが設けられている点は前記図１の実施形態と同様であり、説明は省略する。ちなみに把手１６ａがない場合は図１０に示すように、ミラーキャビネット１の横に壁１３がある場合にあっては、扉体３を９０度以上の広開度で開いたときに蝶番１５が壁１３に当って壁１３を破損させるおそれがあり、このため扉体３の開き角に制約が生じるという問題がある。そこで図８、図９の実施形態では、蝶番１５が壁１３に当らないようにするために、蝶番１５よりも前方Ｆへ突出する樹脂製の把手１６ａを備えているので、この把手１６ａによって扉体３の開閉操作が楽にできるうえに、扉体３を９０度以上の広開度で開いた際に、蝶番１５が壁１３に当る前に、樹脂製の把手１６ａが壁１３に当たることで、蝶番１５による壁１３への傷付きを防止できるようになる。
【００２３】
図１１、図１２は、キャビネット本体２に前方Ｆに開口したボックス状をした収納部１４を設け、この収納部１４に収納トレイ１７を取り外し可能に収納すると共に、収納部１４の前方Ｆに収納トレイ１７を傾けて取り出し可能とするための空間部１８を設けた場合を示している。ちなみに、扉体３を９０度又はそれ以上の広開度で開いたときに図１１のように扉体３が収納部１４の前方Ｆの一部を遮る形となり、仮りに空間部１８を持たない場合にあっては、収納トレイ１７の横幅Ｔが大きいと、収納トレイ１７を図１１の矢印方向イに取り出そうとしても扉体３が妨げとなり、取り出しができなくなる。特にミラーキャビネット１の横に壁１３があるときは扉体３の開き角が９０度と小さくなって、収納トレイ１７が一層取り出しにくくなる。この場合、図１１の仮想線のように収納トレイ１７の横幅ｔ（＜Ｔ）を小さくする必要があり、収納量が減るという問題が生じる。そこで図１１、図１２のように収納部１４の前方Ｆに空間部１８を設けたので、収納トレイ１７の横幅Ｔが収納部１４一杯の大きさであっても、空間部１８を利用して収納トレイ１７を傾けて通過させることによって、収納トレイ１７の取り出しが可能となり、従って、収納トレイ１７の横幅Ｔを大きくでき、収納量を増やすことができる。また図１２のように空間部１８内で収納トレイ１７を水平に傾けて出し入れできるようなるので、収納トレイ１７に物を入れたままでも、取り外しが可能となり、使い勝手が一層良くなる。
【００２４】
さらに上記収納トレイ１７を傾けて通過させるための空間部１８を備えた構造において、図１４に示すように、後扉１１の裏面側に該空間部１８内に納まる形状の収納ボックス１９を取着するのが望ましい。扉体３を閉じたときに収納ボックス１９が空間部１８に納まることで、空間部１８を利用して収納量を増加させることができる。つまり、空間部１８は収納トレイ１７を傾けて取り出し可能とする機能に加えて、扉体３の裏面に取り付けた収納ボックス１９を収納する機能を併せ持つようになり、空間部１８をさらに有効利用できるものである。なお図１４の例では後扉１１の裏面に上下２段の収納ボックス１９を取着しているが、収納ボックス１９の数及びその配置は特に限定されない。また両開き扉の後扉１１の裏面に収納ボックス１９を取り付ける場合に限らず、図１３に示すように、一枚物の扉体３の裏面に収納ボックス１９を取り付けた場合も同様である。
【００２５】
図１５〜図１９は、上下反転可能なタイプの収納トレイ４０をキャビネット本体２の収納部１４に設けた場合を示している。なおキャビネット本体２の側板５に逃がし凹所９と隙間隠し用凸部１０とが設けられている点は前記図１の実施形態と同様であり、説明は省略する。本例では、図１５、図１６に示すように、キャビネット本体２の収納部１４の両側壁に水平な左右一対のレール溝２０を上下複数対設け、上下反転可能なタイプの上面開口４０ａを有する収納トレイ４０の上端縁から上記左右一対のレール溝２０に嵌合される左右一対のレール部２３を突設させている。また、図１７（ａ）〜（ｃ）に示すように、収納トレイ４０の下面部４０ｂを物品載置面２１とし且つ物品載置面２１の外周部から下方に向けて突片２２を垂設してある。この収納トレイ４０は、図１７（ｄ）に示すように上面開口４０ａを上向きにしてレール部２３をレール溝２０に嵌合させた状態で上面開口４０ａがレール溝２０と略同じ高さに位置し、図１７（ｅ）に示すように、収納トレイ４０を上下反転して物品載置面２１を上向きにしてレール部２３をレール溝２０に嵌合させた状態では物品載置面２１がレール溝２０よりも上方に位置するように構成されている。
【００２６】
しかして、収納トレイ４０の上面開口４０ａを上向きにしてレール部２３をレール溝２０に嵌合させた場合と、収納トレイ４０の物品載置面２１を上向きにしてレール部２３をレール溝２０に嵌合させた場合とで収納トレイ４０を上下反転させることによって、例えば、図１８のように、収納部１４の下半分に背の高い物４１（例えば、電気かみそり、電気歯ぶらし、整髪用ムース缶等）を置き、最上段の第１のレール溝２０ａに上段の収納トレイ４０を嵌め込み、それより一段低い第２のレール溝２０ｂに下段の収納トレイ４０を嵌め込む。このような使用態様において、上段の収納トレイ４０の下面部４０ｂが第１のレール溝２０ａよりも低い位置となり、下段の収納トレイ４０の上面開口４０ａが第２のレール溝２０ｂと同じ高さであるため上段の収納トレイ４０の下面部４０ｂと下段の収納トレイ４０の上面開口４０ａとの間の間隔Ｗ（図１８）が狭くなり、下段の収納トレイ４０内の収納物の出し入れがしにくくなる。そこで、図１９に示すように、下段の収納トレイ４０を上下反転させ、更に一段低い第３のレール溝２０ｃに嵌め込む。これにより、下段の収納トレイ４０の物品載置面２１が第３のレール溝２０ｃと第２のレール溝２０ｂとのほぼ中間に位置して、上段の収納トレイ４０の下面部４０ｂと下段の収納トレイ４０の物品載置面２１との間隔Ｗを広げることができ、物品載置面２１への収納物の出し入れが容易にできると共に、物品載置面２１上に背の高い収納物が収納可能となる。そのうえ物品載置面２１の使用時にはその外周部に設けた突片２２が収納物落下防止として働くので、収納物を安定して収納できるようになる。またこのとき下段の収納トレイ４０の下面部４０ｂが第３のレール溝２０ｃより上方に配置されるため、この収納トレイ４０の下方に配置された背の高い物４１との接触を防止できるようになる。このように、収納トレイ４０を上下反転可能とすることで、収納トレイ４０間の間隔が適宜可変となり、しかも上下段の収納トレイ４０の間のスペースを収納スペースとして有効に使用できるものである。
【００２７】
図２０は、後扉１１とミラー扉１２とからなる両開き扉において、後扉１１を枠状に形成し、この枠状の後扉１１の内側に収納ボックス４５を配置して固定した場合を示している。なおキャビネット本体２の側板５に逃がし凹所９と隙間隠し用凸部１０とが設けられている点は前記図１の実施形態と同様であり、説明は省略する。本例では、後扉１１が四角枠状に形成され、この後扉１１内側に上下複数（本例では３個）の横長形状の収納ボックス４５が配置され、ネジ等によって後扉１１に対して固着されている。ここでは収納ボックス４５はその前面が後扉１１の前面よりも前方Ｆに突出しないように配置されており、これによりミラー扉１２を後扉１１に密着させて閉じることができるようにしている。なお収納ボックス４５の背面は後扉１１の背面と面一かそれより後方に突出するものであってもよい。ところで後扉１１とミラー扉１２とからなる両開き扉においてはキャビネット本体２の収納部１４から収納物を出し入れするには、ミラー扉１２を開くだけではなく、後扉１１も開く必要がある。これに対して本例では図２０に示すように、後扉１１は四角枠状をしており、その内側に収納ボックス４５を固定してあるため、ミラー扉１２を開くと収納ボックス４５が現れるので、この収納ボックス４５からの収納物の出し入れが可能となり、また後扉１１を開かなくてもよいので使い勝手が良くなる。
【００２８】
さらに上記収納ボックス４５を後扉１１に対して垂直軸まわりに回転可能に取り付けるようにしてもよい。その一例を図２１に示す。ここでは後扉１１の縦枠部分に対して上下複数（本例では３個）の収納ボックス４５の一端が蝶番等を用いて水平方向に回転自在となるように支持されている。例えばミラーキャビネット１の横に壁１３があり、扉体３が９０度までしか開かない場合でも収納ボックス４５を手前に回転させることで収納ボックス４５を手前に引出して容易に使用可能な状態となり、扉体３の開閉角度が小さくても収納ボックス４５の使い勝手を良くすることができる。
【００２９】
【発明の効果】
上述のように請求項１記載の発明にあっては、キャビネット本体に後扉により開閉される収納部を設け、該収納部に収納トレイを取り外し可能に収納すると共に、収納部に水平なレール溝を設け、上下反転可能なタイプの上面開口を有する収納トレイの上端縁からレール溝に嵌合されるレール部を突設させ、収納トレイの下面部を物品載置面とし且つ物品載置面の外周部から下方に向けて突片を垂設し、収納トレイは上面開口を上向きにしてレール部をレール溝に嵌合させた状態では上面開口が該レール溝と略同じ高さに位置し、収納トレイを上下反転して物品載置面を上向きにしてレール部をレール溝に嵌合させた状態では物品載置面が該レール溝よりも上方に位置するように構成されているので、収納トレイの上面開口を上向きにしてレール部をレール溝に嵌合させた場合と、収納トレイの物品載置面を上向きにしてレール部をレール溝に嵌合させた場合とで収納トレイを上下反転させるだけで、収納物の高さに合わせて収納トレイを配置できるようになる。しかも収納トレイ間のスペースを収納スペースとして有効に使用できると共に、物品載置面を上向きにしたときはその外周部に設けた突片が収納物落下防止として働くので、物品載置面上に収納物を安定して収納できるものである。
【００３０】
また請求項２記載の発明は、請求項１記載の効果に加えて、上記扉体は、一端側にスライド蝶番が取り付けられる後扉と、後扉の前方に配置されると共に後扉の他端側に回転自在に接続されるミラー扉とで構成されていると共に、ミラー扉の横幅寸法を後扉の横幅寸法よりも幅広としたので、ミラー扉を幅広にできデザイン性が良くなると共に、ミラーキャビネットの横に壁があるときは壁からミラー扉の端面までの距離を小さくでき、外観上の納まりが良好となる。
【００３１】
また請求項３記載の発明は、請求項２記載の効果に加えて、上記スライド蝶番は側板に取り付けられる本体取付部材と、扉体に取り付けられる扉取付部材と、本体取付部材と扉取付部材とを連結する展伸・折り畳み自在な平行リンクプレートとからなり、後扉の厚さを上記扉取付部材と略同じ厚さまで薄くしたので、後扉を薄くすることで扉体全体を薄くでき、従って、キャビネット本体の収納部の奥行き寸法を狭めることなく扉体を閉じたときにミラー扉のミラー面とキャビネット本体側のミラー面とを略面一にすることができ、美観が向上する。また後扉を薄くすることで９０度以上の広開度で開いたときに後扉の端部の後方への突出寸法が短くなり、これにより逃がし凹所の深さを浅くでき、逃がし凹所による側板部分の強度低下を抑えることができる。さらに収納部の奥行き寸法Ｌが扉体の厚さによって制限されることもなくなり、収納量を十分に確保できると共に、扉体全体の重量が軽くなり、スライド蝶番への負担を軽減できるようになる。
【００３２】
また請求項４記載の発明は、請求項２又は請求項３記載の効果に加えて、上記後扉の他端とミラー扉の一端とを蝶番を介して接続した構造において、後扉の蝶番が取り付けられる側の端部に樹脂製の把手を取り付け、この樹脂製の把手の前方への突出寸法を蝶番の前方への突出寸法よりも大きくしたので、例えばミラーキャビネットの横に壁がある場合は、扉体を９０度以上の広開度で開いたときでも蝶番が壁に当たらず、樹脂製の把手が壁に当たることで、蝶番による壁への傷付きを防止できるようになる。また把手を設けることで扉体の開閉操作が楽にでき、収納物の出し入れが容易となり、使い勝手が向上する。
【００３３】
また請求項５記載の発明は、請求項１乃至請求項４のいすれかに記載の効果に加えて、上記キャビネット本体の収納部の前方に収納トレイを傾けて通過させるための空間部を設けたので、扉体を開いたときに扉体が収納部の前方の一部を遮る形となっても収納部の前方に設けた空間部内で収納トレイを傾けて通過させることが可能となる。従って、収納トレイを大きくして収納量を増やすことができるものである。
【００３４】
また請求項６記載の発明は、請求項５記載の効果に加えて、上記収納トレイを傾けて通過させるための空間部を備えた構造において、扉体の裏面側に該空間部内に納まる形状の収納ボックスを取着したので、扉体を閉じたときに扉体の裏面に取着した収納ボックスを空間部に配置できるようになり、空間部を利用して収納量を増加させることができる。
【００３６】
また請求項７記載の発明は、請求項２乃至請求項４のいずれかに記載の効果に加えて、上記後扉を枠状に形成し、この枠状の後扉の内側に収納ボックスを配設したので、ミラー扉を開くと枠状をした後扉の内側の収納ボックスが現れて、収納ボックスからの収納物の出し入れが可能となり、しかも収納物の出し入れ時には後扉を開かなくてもよいので使い勝手が良くなる。
【図面の簡単な説明】
【図１】本発明の実施形態の一例を示す平面断面図である。
【図２】（ａ）は同上の扉体付きミラーキャビネットの正面図、（ｂ）は側面図である。
【図３】同上のスライド蝶番を説明する平面断面図である。
【図４】同上のスライド蝶番の平行リンクプレートが展伸した状態の説明図である。
【図５】図２のＪ−Ｊ線断面図である。
【図６】図２のＨ−Ｈ線断面図である。
【図７】同上のミラー扉を後扉よりも幅広とした場合を説明する平面断面図である。
【図８】同上の蝶番と樹脂製の把手を備えた扉体の一部切り欠き斜視図である。
【図９】同上の樹脂製の把手が壁に当った状態の説明図である。
【図１０】同上の把手を持たない場合に蝶番が壁に当った状態の説明図である。
【図１１】同上の収納部の前方に収納トレイを傾けて出し入れするための空間部を設けた場合を説明する平面断面図である。
【図１２】同上の空間部から収納トレイを取り出す場合の説明図である。
【図１３】同上の空間部に納まる形状の収納ボックスを扉体の裏面に取り付けた場合を説明する平面断面図である。
【図１４】（ａ）は扉体全体を開いた状態の斜視図、（ｂ）は後扉に取り付けた収納ボックスを使用する場合を説明する斜視図である。
【図１５】同上のキャビネット本体の収納部に設けられるレール溝を説明する斜視図である。
【図１６】同上のレール溝に収納トレイのレール部を嵌め込む状態を説明する斜視図である。
【図１７】（ａ）は同上の収納トレイの斜視図、（ｂ）は断面図、（ｃ）は収納トレイを下面側から見た斜視図、（ｄ）は収納トレイの上面開口を上向きにした使用状態の断面図、（ｅ）は収納トレイを上下反転して物品載置面を上向きにした使用状態の断面図である。
【図１８】同上の収納トレイの使用状態の一例を示す正面図である。
【図１９】（ａ）は同上の扉体付きミラーキャビネットの斜視図、（ｂ）は同上の収納トレイの使用状態の他の例を示す正面図である。
【図２０】同上の後扉の他の実施形態の斜視図である。
【図２１】同上の後扉に収納ボックスを回転自在に取り付けた場合を説明する斜視図である。
【図２２】従来例の平面断面図である。
【図２３】従来の扉体を９０度以上の広開度で開いた状態の平面断面図である。
【符号の説明】
１  扉体付きミラーキャビネット
２  キャビネット本体
３  扉体
３ａ  端部
４  スライド蝶番
５  側板
６  扉取付部材
７  本体取付部材
８  平行リンクプレート
９  逃がし凹所
１０  隙間隠し用凸部
１１  後扉
１２  ミラー扉
１４  収納部
１５  蝶番
１６  把手
１７，４０  収納トレイ
１８  空間部
１９，４５  収納ボックス
２０  レール溝
２１  物品載置面
２２  突片
２３  レール部
４０ａ  収納トレイの上面開口
４０ｂ  収納トレイの下面部
Ｂ  後方
Ｃ  ミラー扉の横幅寸法
Ｄ  後扉の横幅寸法
Ｆ  前方
Ｍ  後扉の厚さ
Ｎ  扉取付部材の厚さ
Ｘ  把手の突出寸法
Ｙ  蝶番の突出寸法
【図１】
0003675400.tif 000002
【図２】
0003675400.tif 000003
【図３】
0003675400.tif 000004
【図４】
0003675400.tif 000005
【図５】
0003675400.tif 000006
【図６】
0003675400.tif 000007
【図７】
0003675400.tif 000008
【図８】
0003675400.tif 000009
【図９】
0003675400.tif 000010
【図１０】
0003675400.tif 000011
【図１１】
0003675400.tif 000012
【図１２】
0003675400.tif 000013
【図１３】
0003675400.tif 000014
【図１４】
0003675400.tif 000015
【図１５】
0003675400.tif 000016
【図１６】
0003675400.tif 000017
【図１７】
0003675400.tif 000018
【図１８】
0003675400.tif 000019
【図１９】
0003675400.tif 000020
【図２０】
0003675400.tif 000021
【図２１】
0003675400.tif 000022
【図２２】
0003675400.tif 000023
【図２３】
0003675400.tif 000024